(57)【要約】【課題】天井パネルの高さの変更にかかる工数及びコストを抑制することができる天井パネルの高さ変更方法を提供すること。【解決手段】天井パネルの高さ変更方法は、長尺部と貫通穴が形成された貫通穴部と有する延長部材を準備する延長部材準備ステップＳＴ１と、吊りボルトを上側ボルトと下側ボルトとに切断するボルト切断ステップＳＴ２と、貫通穴に上側ボルトと下側ボルトを挿通し端部に抜け防止用ナットを螺合する延長部材設置ステップＳＴ３と、下側ボルトに第１のワイヤ引掛部を上部構造体に第２のワイヤ引掛部を設置する引掛部設置ステップＳＴ４と、上側ボルトに一端を固定したワイヤを第１のワイヤ引掛部、第２のワイヤ引掛部に掛け渡してワイヤの他端を固定するワイヤ固定ステップＳＴ５と、全ての吊りボルトに設置したワイヤを繰り出し天井パネルを降下させる天井降下ステップＳＴ６とを備える。【選択図】図２
2019015136.tif 000002
【特許請求の範囲】
【請求項１】
上部構造体に垂下する複数の吊りボルトの下端に天井パネルが設置される天井下地が固定された吊り天井において、該吊りボルトに固定されたまま該天井パネルを所定距離降下させる天井パネルの高さ変更方法であって、
該所定距離以上の長さの長尺部と、該長尺部の両端に貫通穴が形成された貫通穴部と、有する延長部材を準備する延長部材準備ステップと、
該複数の吊りボルトの中から選択した該吊りボルトを、該上部構造体と該天井下地とに固定されたまま上側ボルトと下側ボルトとに切断するボルト切断ステップと、
該延長部材の両端の該貫通穴に、該上部構造体に固定された該上側ボルトと該天井下地に固定された該下側ボルトをそれぞれ挿通し、該上側ボルトの端部と該下側ボルトの端部それぞれに該吊りボルトの抜け防止用ナットを螺合する延長部材設置ステップと、
該下側ボルトに第１のワイヤ引掛部を、該上部構造体に第２のワイヤ引掛部をそれぞれ設置する引掛部設置ステップと、
該上側ボルトに一端を固定したワイヤを、該第１のワイヤ引掛部、該第２のワイヤ引掛部の順に掛け渡し、該上側ボルトと該下側ボルトとを一直線状に整列させた状態で引張した該ワイヤの他端を固定するワイヤ固定ステップと、
該複数の吊りボルトの全ての該吊りボルトに、該ボルト切断ステップ、該延長部材設置ステップ、該ワイヤ固定ステップを実施した後、全ての該吊りボルトに設置した該ワイヤを他端側から同時に繰り出し、該下側ボルトを降下させて、該天井パネルを降下させる天井降下ステップと、を備える天井パネルの高さ変更方法。
【請求項２】
該延長部材設置ステップでは、鉛直方向から斜めに傾いた該上側ボルトに該延長部材の上側の該貫通穴が自在鉤的な作用で係合し、該延長部材に該抜け防止用ナットで固定された該下側ボルトは、該上側ボルトに該延長部材を介して垂下するので該天井パネルが落下しない請求項１に記載の天井パネルの高さ変更方法。
【請求項３】
該ワイヤ固定ステップでは、該ワイヤの他端を該天井パネルに形成された開口から床側に降ろし、該天井パネルの下の室内空間で固定する請求項１又は請求項２に記載の天井パネルの高さ変更方法。
【発明の詳細な説明】
【技術分野】
【０００１】
本発明は、天井パネルの高さ変更方法に関する。
【背景技術】
【０００２】
一般的な天井構造として吊り天井が知られている。吊り天井は、下側から順に天井パネル、天井パネルをビス留めするバー状の天井下地、天井下地を上階の躯体（上部構造体）から吊り下げる吊りボルト等から構成されている。
【先行技術文献】
【特許文献】
【０００３】
【特許文献１】特開２０１４−１６３０５５号公報
【発明の概要】
【発明が解決しようとする課題】
【０００４】
天井パネルは、バランス良く配置された複数の吊りボルトによって垂下している。一度設定された天井パネルの高さを変更するためには、全ての天井パネルと吊りボルトを撤去し、新たな長さの吊りボルトに天井パネルを固定するため、多くの工数とコストがかかってしまう。
【０００５】
本発明は、かかる問題点に鑑みてなされたものであり、その目的は、天井パネルの高さの変更にかかる工数及びコストを抑制することができる天井パネルの高さ変更方法を提供することを目的とする。
【課題を解決するための手段】
【０００６】
上述した課題を解決し、目的を達成するために、本発明の天井パネルの高さ変更方法は、上部構造体に垂下する複数の吊りボルトの下端に天井パネルが設置される天井下地が固定された吊り天井において、該吊りボルトに固定されたまま該天井パネルを所定距離降下させる天井パネルの高さ変更方法であって、該所定距離以上の長さの長尺部と、該長尺部の両端に貫通穴が形成された貫通穴部と、有する延長部材を準備する延長部材準備ステップと、該複数の吊りボルトの中から選択した該吊りボルトを、該上部構造体と該天井下地とに固定されたまま上側ボルトと下側ボルトとに切断するボルト切断ステップと、該延長部材の両端の該貫通穴に、該上部構造体に固定された該上側ボルトと該天井下地に固定された該下側ボルトをそれぞれ挿通し、該上側ボルトの端部と該下側ボルトの端部それぞれに該吊りボルトの抜け防止用ナットを螺合する延長部材設置ステップと、該下側ボルトに第１のワイヤ引掛部を、該上部構造体に第２のワイヤ引掛部をそれぞれ設置する引掛部設置ステップと、該上側ボルトに一端を固定したワイヤを、該第１のワイヤ引掛部、該第２のワイヤ引掛部の順に掛け渡し、該上側ボルトと該下側ボルトとを一直線状に整列させた状態で引張した該ワイヤの他端を固定するワイヤ固定ステップと、該複数の吊りボルトの全ての該吊りボルトに、該ボルト切断ステップ、該延長部材設置ステップ、該ワイヤ固定ステップを実施した後、全ての該吊りボルトに設置した該ワイヤを他端側から同時に繰り出し、該下側ボルトを降下させて、該天井パネルを降下させる天井降下ステップと、を備えることを特徴とする。
【０００７】
前記天井パネルの高さ変更方法において、該延長部材設置ステップでは、鉛直方向から斜めに傾いた該上側ボルトに該延長部材の上側の該貫通穴が自在鉤的な作用で係合し、該延長部材に該抜け防止用ナットで固定された該下側ボルトは、該上側ボルトに該延長部材を介して垂下するので該天井パネルが落下しないようにしても良い。
【０００８】
前記天井パネルの高さ変更方法において、該ワイヤ固定ステップでは、該ワイヤの他端を該天井パネルに形成された開口から床側に降ろし、該天井パネルの下の室内空間で固定しても良い。
【発明の効果】
【０００９】
本願発明の天井パネルの高さ変更方法は、天井パネルの高さの変更にかかる工数及びコストを抑制することができるという効果を奏する。
【図面の簡単な説明】
【００１０】
【図１】図１は、実施形態１に係る天井パネルの高さ変更方法の高さの変更対象の天井パネルを備える吊り天井を示す断面図である。
【図２】図２は、実施形態１に係る天井パネルの高さ変更方法の流れを示すフローチャートである。
【図３】図３は、図２に示された天井パネルの高さ変更方法の延長部材準備ステップにおいて準備される延長部材を示す斜視図である。
【図４】図４は、図３に示された延長部材の要部を示す断面図である。
【図５】図５は、図２に示された天井パネルの高さ変更方法のボルト切断ステップを示す断面図である。
【図６】図６は、図２に示された天井パネルの高さ変更方法の延長部材設置ステップにおいて、各貫通穴部の貫通穴に上側ボルト及び下側ボルトを通す状態を示す断面図である。
【図７】図７は、図２に示された天井パネルの高さ変更方法の延長部材設置ステップにおいて、各貫通穴部の貫通穴に通された上側ボルト及び下側ボルトに抜け防止用ナットを螺合した状態を示す断面図である。
【図８】図８は、図２に示された天井パネルの高さ変更方法の引掛部設置ステップを示す断面図である。
【図９】図９は、図２に示された天井パネルの高さ変更方法のワイヤ固定ステップを示す断面図である。
【図１０】図１０は、図２に示された天井パネルの高さ変更方法の全ての吊りボルトにボルト切断ステップからワイヤ固定ステップを実施した後を示す断面図である。
【図１１】図１１は、図２に示された天井パネルの高さ変更方法の天井降下ステップを示す断面図である。
【図１２】図１２は、実施形態２に係る天井パネルの高さ変更方法の全ての吊りボルトにボルト切断ステップからワイヤ固定ステップを実施した後を示す断面図である。
【図１３】図１３は、実施形態３に係る天井パネルの高さ変更方法の引掛部設置ステップを示す断面図である。
【図１４】図１４は、実施形態４に係る天井パネルの高さ変更方法の全ての吊りボルトにボルト切断ステップからワイヤ固定ステップを実施した後を示す断面図である。
【発明を実施するための形態】
【００１１】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換または変更を行うことができる。
【００１２】
〔実施形態１〕
本発明の実施形態１に係る天井パネルの高さ変更方法を図面に基づいて説明する。図１は、実施形態１に係る天井パネルの高さ変更方法の高さの変更対象の天井パネルを備える吊り天井を示す断面図である。
【００１３】
実施形態１に係る天井パネルの高さ変更方法は、図１に示す吊り天井１の天井パネル１０の高さを変更する方法である。吊り天井１は、図１に示すように、建造物の上部構造体２から建造物の各室の天井を構成する天井パネル１０を吊り下げるものである。吊り天井１は、複数の吊りボルト２０と、天井下地３０と、天井パネル１０とを備える。
【００１４】
吊りボルト２０は、上部構造体２から垂下するものである。吊りボルト２０は、円柱状に形成され、かつ金属により構成されているとともに、外周面にねじ溝２１が形成されている。吊りボルト２０の上端には、上部構造体２に引掛けられるナット２２が螺合している。吊りボルト２０は、ナット２２が上部構造体２に引掛けられて、上部構造体２から下方に垂下している。
【００１５】
吊りボルト２０の下端には、天井下地３０に固定された固定フレーム３１（ハンガーともいう）を互いの間に挟み込んだ二つのナット２３が螺合している。天井下地３０は、建造物の上部構造体２の下方に格子状に配置される所謂野縁受けであり、上面に固定フレーム３１が固定され、下面にパネル用フレーム３２が固定されている。天井下地３０は、固定フレーム３１を介して吊りボルト２０の下端に固定されている。パネル用フレーム３２は、天井下地３０の下方に格子状に配置される所謂野縁であり、下面に天井パネル１０が固定されている。このために、天井下地３０は、パネル用フレーム３２を介して、天井パネル１０が設置されている。天井パネル１０は、平板状に形成され、かつ水平方向と平行に配置される。天井パネル１０には、照明装置１１などが取り付けられる。実施形態１において、照明装置１１は、天井パネル１０に設けられた開口１２内に設置されている。
【００１６】
図２は、実施形態１に係る天井パネルの高さ変更方法の流れを示すフローチャートである。天井パネル１０の高さ変更方法（以下、単に高さ変更方法と記す）は、吊りボルト２０の下端に天井パネル１０が設置される天井下地３０が固定された吊り天井１において、吊りボルト２０に固定されたまま天井パネル１０を所定距離降下させる方法である。なお、本発明において、所定距離は、如何なる距離でも良い。高さ変更方法は、図２に示すように、延長部材準備ステップＳＴ１と、ボルト切断ステップＳＴ２と、延長部材設置ステップＳＴ３と、引掛部設置ステップＳＴ４と、ワイヤ固定ステップＳＴ５と、天井降下ステップＳＴ６とを備える。
【００１７】
（延長部材準備ステップ）
図３は、図２に示された天井パネルの高さ変更方法の延長部材準備ステップにおいて準備される延長部材を示す斜視図である。図４は、図３に示された延長部材の要部を示す断面図である。
【００１８】
延長部材準備ステップＳＴ１は、図３に示す延長部材４０を準備するステップである。実施形態１において、延長部材準備ステップＳＴ１は、延長部材４０を降下対象の天井パネル１０を吊り下げた吊りボルト２０と同数準備する。延長部材４０は、吊りボルト２０を構成する金属と同じ金属により構成され、所定距離以上の長さの長尺部４１と、長尺部４１の両端に設けられた二つの貫通穴部４２，４３とを有する。実施形態１において、長尺部４１は、板状に形成されている。
【００１９】
二つの貫通穴部４２，４３は、それぞれ長尺部４１に連なりかつ長尺部４１と同じ厚さの板状に形成されている。貫通穴部４２，４３は、それぞれ、吊りボルト２０を通すことができる貫通穴４４，４５が形成されている。二つの貫通穴部４２，４３のうちの上側の貫通穴部４２は、長尺部４１と平行な方向と長尺部４１に対して直交する方向との双方に対して交差しているとともに、長尺部４１に対して直交する方向に沿って長尺部４１から離れるのにしたがって徐々に上方に向かう（長尺部４１の端から離れる）方向に傾斜している。こうして、上側の貫通穴部４２は、延長部材４０が天井パネル１０を所定距離降下させる際に、鉛直方向から斜めに傾いた状態で配置され、図４に示すように、貫通穴４４内に通した吊りボルト２０に自在鉤的な作用で係合する。
【００２０】
自在鉤とは、囲炉裏の火で煮炊きするために、鍋や釜をかける道具である。自在鉤的に係合するとは、図４に示すように、上側の貫通穴部４２の貫通穴４４の上面４２１側の内縁部４４１と、下面４２２側の内縁部４４２との双方で吊りボルト２０の外周面に係合することをいう。なお、吊りボルト２０の外周面に係合する内縁部４４１，４４２は、吊りボルト２０を互いの間に位置付ける。延長部材４０は、上側の貫通穴部４２が吊りボルト２０に係合する位置を変更することで、前述した所定距離を適宜変更することができる。下側の貫通穴部４３は、長尺部４１に対して直交している。高さ変更方法は、延長部材準備ステップＳＴ１後、ボルト切断ステップＳＴ２に進む。
【００２１】
（ボルト切断ステップ）
図５は、図２に示された天井パネルの高さ変更方法のボルト切断ステップを示す断面図である。
【００２２】
ボルト切断ステップＳＴ２は、降下対象の天井パネル１０を吊り下げた複数の吊りボルト２０の中から選択した一つの吊りボルト２０を上部構造体２と天井下地３０とに固定されたまま上側ボルト２４と下側ボルト２５とに切断するステップである。実施形態１において、ボルト切断ステップＳＴ２は、図５に示すように、吊りボルト２０の長手方向の中央を切断している。高さ変更方法は、ボルト切断ステップＳＴ２後、延長部材設置ステップＳＴ３に進む。
【００２３】
（延長部材設置ステップ）
図６は、図２に示された天井パネルの高さ変更方法の延長部材設置ステップにおいて、各貫通穴部の貫通穴に上側ボルト及び下側ボルトを通す状態を示す断面図である。図７は、図２に示された天井パネルの高さ変更方法の延長部材設置ステップにおいて、各貫通穴部の貫通穴に通された上側ボルト及び下側ボルトに抜け防止用ナットを螺合した状態を示す断面図である。
【００２４】
延長部材設置ステップＳＴ３は、延長部材４０の両端の貫通穴部４２，４３の貫通穴４４，４５に、上部構造体２に固定された上側ボルト２４と天井下地３０に固定された下側ボルト２５をそれぞれ挿通し、上側ボルト２４の端部と下側ボルト２５の端部それぞれに吊りボルト２０の抜け防止用ナット５０を螺合するステップである。実施形態１において、延長部材設置ステップＳＴ３では、まず、上側ボルト２４を傾けた後、図６に示すように、上側ボルト２４を上側の貫通穴部４２の貫通穴４４内に通した後、下側の貫通穴部４３の貫通穴４５内に下側ボルト２５を通す。そして、延長部材設置ステップＳＴ３では、図７に示すように、上側ボルト２４の端部と下側ボルト２５の端部とに抜け防止用ナット５０を螺合する。高さ変更方法は、延長部材設置ステップＳＴ３後、引掛部設置ステップＳＴ４に進む。
【００２５】
（引掛部設置ステップ）
図８は、図２に示された天井パネルの高さ変更方法の引掛部設置ステップを示す断面図である。
【００２６】
引掛部設置ステップＳＴ４は、下側ボルト２５に第１のワイヤ引掛部６１を上部構造体２に第２のワイヤ引掛部６２をそれぞれ設置するステップである。実施形態１において、引掛部設置ステップＳＴ４は、下側ボルト２５の端部に螺合した抜け防止用ナット５０に第１のワイヤ引掛部６１を設置し、上部構造体２の下面に第２のワイヤ引掛部６２を設置する。実施形態１において、第１のワイヤ引掛部６１は、抜け防止用ナット５０に固定された軸部材に回転自在に支持された滑車であり、第２のワイヤ引掛部６２は、上部構造体２の下面に固定された軸部材に回転自在に支持された滑車であるが、ワイヤ引掛部６１，６２は、滑車に限ることなく、例えば、Ｓ字フックでも良い。また、実施形態１において、引掛部設置ステップＳＴ４は、ワイヤ引掛部６１，６２を水平方向に間隔をあけた位置に配置し、第２のワイヤ引掛部６２を開口１２の上方に配置している。
【００２７】
また、延長部材設置ステップＳＴ３では、鉛直方向から斜めに傾いた上側ボルト２４に延長部材４０の上側の貫通穴部４２の貫通穴４４が自在鉤的な作用で係合し、延長部材４０に抜け防止用ナット５０で固定された下側ボルト２５は、上側ボルト２４に延長部材４０を介して垂下するので、天井パネル１０が落下しない。高さ変更方法は、引掛部設置ステップＳＴ４後、ワイヤ固定ステップＳＴ５に進む。
【００２８】
（ワイヤ固定ステップ）
図９は、図２に示された天井パネルの高さ変更方法のワイヤ固定ステップを示す断面図である。図１０は、図２に示された天井パネルの高さ変更方法の全ての吊りボルトにボルト切断ステップからワイヤ固定ステップを実施した後を示す断面図である。
【００２９】
ワイヤ固定ステップＳＴ５は、上側ボルト２４に一端を固定したワイヤ７０を、第１のワイヤ引掛部６１、第２のワイヤ引掛部６２の順に掛け渡し、上側ボルト２４と下側ボルト２５とを一直線状に整列させた状態で引張したワイヤ７０の他端を固定するステップである。実施形態１において、ワイヤ固定ステップＳＴ５では、図９に示すように、上側ボルト２４の端部に螺合した抜け防止用ナット５０にワイヤ７０の一端を固定し、ワイヤ７０を第１のワイヤ引掛部６１の下側と第２のワイヤ引掛部６２の上側とに順に通す。
【００３０】
実施形態１において、ワイヤ固定ステップＳＴ５では、ワイヤ７０の他端部を天井パネル１０に形成された開口１２から建造物の床３側に降ろし、上側ボルト２４と下側ボルト２５とを一直線状に整列させた状態にして、引張したワイヤ７０の他端を建造物の天井パネル１０よりも下側の室内空間４で固定する。
【００３１】
実施形態１において、ワイヤ７０の他端は、建造物の側部構造体５に取り付けられた固定部材６に固定したが、ワイヤ７０の他端の固定位置は、これに限定されない。高さ変更方法は、降下対象の天井パネル１０を吊り下げた吊りボルト２０の全てに前述したボルト切断ステップＳＴ２と延長部材設置ステップＳＴ３と引掛部設置ステップＳＴ４とワイヤ固定ステップＳＴ５とを順に実施する。なお、実施形態１において、全てのワイヤ７０の第１のワイヤ引掛部６１と第２のワイヤ引掛部６２との間が互いに平行になるように、引掛部設置ステップＳＴ４において、ワイヤ引掛部６１，６２を設置している。
【００３２】
また、実施形態１において、ワイヤ固定ステップＳＴ５では、図１０に示すように、最初の引掛部設置ステップＳＴ４において上部構造体２に設置された第２のワイヤ引掛部６２の上側に全てのワイヤ７０を通して、開口１２を通して室内空間４で束ねている。高さ変更方法は、降下対象の天井パネル１０を吊り下げた全ての吊りボルト２０にワイヤ固定ステップＳＴ５を実施した後、天井降下ステップＳＴ６に進む。
【００３３】
（天井降下ステップ）
図１１は、図２に示された天井パネルの高さ変更方法の天井降下ステップを示す断面図である。
【００３４】
天井降下ステップＳＴ６は、降下対象の天井パネル１０を吊り下げた複数の吊りボルト２０の全ての吊りボルト２０に、ボルト切断ステップＳＴ２、延長部材設置ステップＳＴ３、ワイヤ固定ステップＳＴ５を実施した後、全ての吊りボルト２０に設置したワイヤ７０を他端側から同時に繰り出し、下側ボルト２５を降下させて天井パネル１０を降下させるステップである。天井降下ステップＳＴ６では、全てのワイヤ７０の他端の固定を解除し、束ねた全てのワイヤ７０の他端を開口１２を通して所定距離上部構造体２側に送り出す。すると、図１１の矢印で示すように、ワイヤ７０が移動して、延長部材４０の下側の貫通穴部４３及び下側ボルト２５が降下して、天井下地３０及び天井パネル１０が所定距離降下する。
【００３５】
実施形態１に係る高さ変更方法は、ボルト切断ステップＳＴ２において、選択した吊りボルト２０を上部構造体２と天井下地３０に固定されたまま切断し、延長部材設置ステップＳＴ３において、延長部材４０の貫通穴４４，４５にボルト２４，２５を通して抜け防止用ナット５０を螺合する。このために、高さ変更方法は、天井パネル１０を撤去する必要が無く、吊りボルト２０に天井パネル１０が固定された状態を維持したまま、吊りボルト２０を延長部材４０を用いて延長させる。その結果、高さ変更は、天井パネル１０を容易に降下させることができ、低いコストで天井パネル１０の高さを変更することが出来るという効果を奏する。
【００３６】
また、高さ変更方法は、延長部材４０の上側の貫通穴４４が自在鉤的な作用で上側ボルト２４に係合し、下側ボルト２５が抜け防止用ナット５０により延長部材４０の下側の貫通穴部４３に支持されるので、延長部材設置ステップＳＴ３等の高さ変更中に天井パネル１０が落下しない。
【００３７】
また、高さ変更方法は、ワイヤ固定ステップＳＴ５において、ワイヤ７０の他端を開口１２を通して床３側に降ろして、室内空間４で固定するので、天井降下ステップＳＴ６において、ワイヤ７０の他端側を容易に送り出すことができる。
【００３８】
〔実施形態２〕
本発明の実施形態２に係る天井パネルの高さ変更方法を図面に基づいて説明する。図１２は、実施形態２に係る天井パネルの高さ変更方法の全ての吊りボルトにボルト切断ステップからワイヤ固定ステップを実施した後を示す断面図である。なお、図１２は、実施形態１と同一部分に同一符号を付して説明を省略する。
【００３９】
実施形態２に係る天井パネルの高さ変更方法（以下、単に高さ変更方法と記す）は、図１２に示すように、複数のワイヤ７０の第１のワイヤ引掛部６１と第２のワイヤ引掛部６２との間が互いに交差するように、引掛部設置ステップＳＴ４において、ワイヤ引掛部６１，６２を設置する点と、ワイヤ７０の他端を上部構造体２と天井下地３０との間で固定している点以外は、実施形態１と同一である。
【００４０】
実施形態２に係る高さ変更方法は、実施形態１と同様に、天井パネル１０を撤去する必要が無く、吊りボルト２０に天井パネル１０が固定された状態を維持したまま、吊りボルト２０を延長部材４０を用いて延長させる事で天井パネル１０を容易に降下させる。このために、実施形態２に係る高さ変更方法は、低いコストで天井パネル１０の高さを変更することが出来るという効果を奏する。
【００４１】
また、実施形態２に係る高さ変更方法は、複数のワイヤ７０の第１のワイヤ引掛部６１と第２のワイヤ引掛部６２との間が互いに交差しているので、固定後の複数のワイヤ７０の第１のワイヤ引掛部６１と第２のワイヤ引掛部６２との間が筋交いの役割を果たすこととなる。
【００４２】
〔実施形態３〕
本発明の実施形態３に係る天井パネルの高さ変更方法を図面に基づいて説明する。図１３は、実施形態３に係る天井パネルの高さ変更方法の引掛部設置ステップを示す断面図である。なお、図１３は、実施形態１と同一部分に同一符号を付して説明を省略する。
【００４３】
実施形態３に係る天井パネルの高さ変更方法（以下、単に高さ変更方法と記す）は、図１３に示すように、延長部材４０の上側の貫通穴部４２−３は、長尺部４１に対して直交して、吊りボルト２０に対して自在鉤的な作用を奏しない点以外は、実施形態１と同一である。
【００４４】
実施形態３に係る高さ変更方法は、実施形態１と同様に、天井パネル１０を撤去する必要が無く、吊りボルト２０に天井パネル１０が固定された状態を維持したまま、吊りボルト２０を延長部材４０を用いて延長させる事で天井パネル１０を容易に降下させる。このために、実施形態３に係る高さ変更方法は、低いコストで天井パネル１０の高さを変更することが出来るという効果を奏する。
【００４５】
〔実施形態４〕
本発明の実施形態４に係る天井パネルの高さ変更方法を図面に基づいて説明する。図１４は、実施形態４に係る天井パネルの高さ変更方法の全ての吊りボルトにボルト切断ステップからワイヤ固定ステップを実施した後を示す断面図である。なお、図１４は、実施形態１と同一部分に同一符号を付して説明を省略する。
【００４６】
実施形態４に係る天井パネルの高さ変更方法（以下、単に高さ変更方法と記す）は、図１４に示すように、複数のワイヤ７０の第１のワイヤ引掛部６１と第２のワイヤ引掛部６２との間が略鉛直方向と平行になるように、引掛部設置ステップＳＴ４において、ワイヤ引掛部６１，６２を設置する点と、開口１２の上方に全てのワイヤ７０を上側に通す第３のワイヤ引掛部６３を設置する点以外は、実施形態１と同一である。
【００４７】
実施形態４に係る高さ変更方法は、実施形態１と同様に、天井パネル１０を撤去する必要が無く、吊りボルト２０に天井パネル１０が固定された状態を維持したまま、吊りボルト２０を延長部材４０を用いて延長させる事で天井パネル１０を容易に降下させる。このために、実施形態４に係る高さ変更方法は、低いコストで天井パネル１０の高さを変更することが出来るという効果を奏する。
【００４８】
なお、本発明は、上記実施形態に限定されるものではない。即ち、本発明の骨子を逸脱しない範囲で種々変形して実施することができる。
【符号の説明】
【００４９】
１  吊り天井
２  上部構造体
３  床
４  室内空間
１０  天井パネル
１２  開口
２０  吊りボルト
２４  上側ボルト
２５  下側ボルト
３０  天井下地
４０  延長部材
４１  長尺部
４２  上側の貫通穴部
４３  下側の貫通穴部
４４，４５  貫通穴
５０  抜け防止用ナット
６１  第１のワイヤ引掛部
６２  第２のワイヤ引掛部
７０  ワイヤ
ＳＴ１  延長部材準備ステップ
ＳＴ２  ボルト切断ステップ
ＳＴ３  延長部材設置ステップ
ＳＴ４  引掛部設置ステップ
ＳＴ５  ワイヤ固定ステップ
【図１】
2019015136.tif 000003
【図２】
2019015136.tif 000004
【図３】
2019015136.tif 000005
【図４】
2019015136.tif 000006
【図５】
2019015136.tif 000007
【図６】
2019015136.tif 000008
【図７】
2019015136.tif 000009
【図８】
2019015136.tif 000010
【図９】
2019015136.tif 000011
【図１０】
2019015136.tif 000012
【図１１】
2019015136.tif 000013
【図１２】
2019015136.tif 000014
【図１３】
2019015136.tif 000015
【図１４】
2019015136.tif 000016